(57)【要約】【課題】額縁と画架を一体化して設置する際、その固定方法としての組み上げ手順が、より簡素化が計られて、尚且つ、その額縁の展示物を閲覧する際、どのような方向及び角度からでも、なんら阻害無く閲覧できる機能が無かったという点である。【解決手段】本考案の器具を、予め、額縁1に装着したものを、画架の支柱2及び3の溝に挿入するだけで、額縁1と画架が即座に一体化され、且つその額縁1を任意の位置に固定できることを特徴とする。すでに一体化された額縁1の中の展示物を、阻害なく、あらゆる方向及び角度からでも閲覧できるよう、また、前面開放式の額縁に対しても、額縁1をその画架に設置した状態のまま、その展示物の交換が可能できるよう、従来、画架に有していた受台及び押えなる部位を排除し、額縁1の後面より固定方法を採用したことを特徴とする。【選択図】図１
0003127384.tif 000002
【実用新案登録請求の範囲】
【請求項１】
額縁と画架を一体化するための固定器具において、
画架の断面を構成する辺のうち、三辺と同一の形状を有し、さらに二個の突起物が、画架の断面から見て、対面方向に施された二本の溝へ挟み込むことによって、画架本体を保持することを特徴とする固定器具。
【請求項２】
請求項1記載の額縁と画架を一体化するための固定器具において、
材料は、金属、樹脂、木であることを特徴とする固定器具。
【考案の詳細な説明】
【技術分野】
【０００１】
本考案は、展示用としての額縁を画架に掲載する場合、その用途目的に対して、機能性を独自に開発し、それを具現化したものである。
【背景技術】
【０００２】
一般的に、額縁を画架に掲載する場合、画架の付属品である受台に額縁を設置し、その額縁の上部を画架の付属品である押えで、加圧して固定する。すなわち、額縁を設置するには、それぞれの手順にそって組み上げる必要がある。
【０００３】
具体的には、画架本体を組み上げし、それぞれの付属品を画架本体に装着して、額縁を受台に設置するといった手順です。完全に設置するには、ある程度の時間等も費やされ、特に年少者或いは高齢者の場合、取扱説明書は存在しても、その内容を把握して組み上げるには、なかなか困難と思われる場合もある。
【０００４】
また、前面開放式の額縁に関しては、額縁の中の展示物を交換する際、一旦、画架から取り外し、中の展示物を入れ替えした後、再度、画架に掲載する必要がある。すなわち、額縁を掲載したままの状態で、中の展示物を交換することが不可能であった。
【０００５】
また、受台及び押えの有する画架に掲載された展示物を、前面より閲覧する場合、方向或いは角度によっては、その部位が展示物の閲覧を阻害し、閲覧に支障をきたすといった現象も考えられた。
【考案の開示】
【考案が解決しようとする課題】
【０００６】
解決しようとする問題点は、額縁と画架を一体化して設置する際、その固定方法として、より簡素化できて、且つ、その額縁の展示物を閲覧する際、どのような方向及び角度からでも、なんら阻害無く閲覧できる機能が無かった点である。
【課題を解決するための手段】
【０００７】
本考案である請求項1の器具は、画架の断面を構成する辺のうち、三辺と同一の形状を
しており、さらに画架本体を保持するための突起物が、画架の断面から見て対面方向に
施された溝へ挟み込むことによって、画架本体を確実に保持する機能を有する。さらに、
その器具の背面より固定用ネジを締め付けることにより、その器具も含めて、額縁と画
架本体を任意の位置で、確実に固定できることを特徴とする。
【考案の効果】
【０００８】
本考案である請求項1の器具を予め額縁の裏面に装着し、その状態で画架の溝に挿入す
るだけで、額縁と画架が即座に一体化され、且つ、その額縁を任意の位置に固定できる。
また、構造上、額縁を裏面から固定する関係で、額縁の中の展示物をあらゆる角度から
閲覧しても、その閲覧を阻害する要因は皆無である。特に、前面開放式の額縁に関して
は、額縁をその画架に設置した状態のまま、その展示物の交換が可能となる。以上の利
点を有する。
【考案を実施するための最良の形態】
【０００９】
以下、本考案の実施の形態を図1〜図4に基づいて説明する。本考案による器具の構成は
画架本体と額縁1を保持する連結器具6と、額縁1とその連結器具6を固定するための連結用ネジ7と、連結器具6と画架本体とを固定する固定用ネジ8の三点から成り立つ。
【００１０】
予め、額縁1の裏面上下二箇所に連結器具6を連結用ネジ7で図3の方向にて固定する。画架本体の右部位は右支柱2と右脚4を結合されたもの、及び左部位は左支柱3と左脚5を結合されたものを、床面にそれぞれ右脚4及び左脚5の挟む角度が60度になるように立脚する。
【００１１】
その状態を維持しながら、画架本体の上方から画架の左支柱3及び右支柱2に施された各二本の溝へ、連結器具6を装着された額縁1を挿入する。
【００１２】
額縁1を所定の位置に固定するために、画架本体の裏側より固定用ネジ8を上下それぞれねじ込み、右支柱2及び左支柱3と固定用ネジの円錐面とが接触摩擦により完全に固定される。すなわち、額縁1と画架本体とが、その連結器具6を介して完全固定される仕組みである。
【実施例１】
【００１３】
本考案である連結器具6を、額縁1の裏面上下二箇所に、連結用ネジ7にて固定する。
画架本体の右脚4及び左脚5の挟む角度が60度になるように、画架本体を立脚させ
そのおのおの左右支柱2及び3の溝へ、連結器具6が装着された額縁1を挿入して保持させる。使用目的によって、その額縁1の高さを確定して、上下各固定用ネジ8にて完全に固定する。また、額縁1の高さを可変したいときは、上下各固定用ネジ8を緩めて高さを確定し、再度、固定用ネジ8を締めて固定する。収納時も組み上げ手順と逆に、上下各固定用ネジ8を緩め、画架本体から額縁1を引き抜き、各連結ネジ7を緩めて額縁1と連結器具6とを分解する。
【産業上の利用可能性】
【００１４】
本考案である器具は、既存の一部の画架にも応用又は利用することができ、従来からの画架の付属品である受台及び押えを装備されたものより、新規性、コスト面、使用面、からいっても高く評価されるものと考えられる。また、受台及び押えの有する画架に掲載された展示物より、その閲覧の認知効果はさらに高まる面も期待される。一方、絵画用向け画架としても、その利用度は今後、ますます高まるとの見方も予測される。その理由としては、描画の際、画布の上下端面は、受台及び押えの部位が接触しているため、描画作業に支障をきたすといった事実が、過去に存在していたことである。すなわち、画布の上下端面を固定せずに、画布の裏面を固定できる方法のほうが、描画作業には理想的と考えられるからである。従って、本考案の利用度は、展示用向け画架のみだけではなく、絵画用向け画架の分野にもその経済効果を与えるべく価値が、十分備わっているといっても過言ではないと思われる。
【図面の簡単な説明】
【００１５】
【図１】額縁を画架に設置したときの正面側からの斜視図である。
【図２】額縁を画架に設置したときの側面図である。
【図３】額縁を画架に設置する前の状態の平面側からの詳細図である。
【図４】額縁を画架に設置し、さらに固定したときの平面側からの詳細図である。
【図５】連結器具の斜視図である。
【符号の説明】
【００１６】
1額縁
2右支柱
3左支柱
4右脚
5左脚
6連結器具
7連結用ネジ
8固定用ネジ
【図１】
0003127384.tif 000003
【図２】
0003127384.tif 000004
【図３】
0003127384.tif 000005
【図４】
0003127384.tif 000006
【図５】
0003127384.tif 000007